(57)【要約】  本発明は地上波デジタルマルチメディア放送システムで受信器の伝送識別情報 (ＴＩＩ)決定方法及び装置に関することとして、ヌル(NULL)シンボルのスロット区間で前記ＴＩＩ発生を検出する段階と、前記ＴＩＩ更新時点になる時まで前記検出されたＴＩＩを継続的にＴＩＩデータベースに格納する段階と、前記ＴＩＩ更新時点になればＴＩＩ検出結果を出力する段階とを含むことを特徴とする。
2008536376.tif 000002
【特許請求の範囲】
【請求項１】
地上波デジタルマルチメディア放送(Ｔ-ＤＭＢ)システムにおける伝送識別情報(Transmitter Identification Information:ＴＩＩ)の判定方法であって、
ヌル(null)シンボルのスロット区間で前記ＴＩＩ発生を検出する段階と、
ＴＩＩ更新時点まで前記検出されたＴＩＩをＴＩＩデータベースに格納する段階と、
前記ＴＩＩ更新時点でＴＩＩ検出結果を出力する段階と、を有し、
前記ＴＩＩ更新時点は、共通インターリーブフレーム(ＣＩＦ)カウンタ値が予め定められたターゲット値であるときであることを特徴とする方法。
【請求項２】
前記検出結果は、前記検出されたＴＩＩ値として出力されることを特徴とする請求項１記載の方法。
【請求項３】
前記検出結果は、最も多く検出されたＴＩＩ値と、そのときに検出されたＴＩＩの累積値又は平均値と共に出力されることを特徴とする請求項１記載の方法。
【請求項４】
地上波デジタルマルチメディア放送システム(Ｔ-ＤＭＢ)で伝送識別情報(ＴＩＩ)の判定方法であって、
検出反復カウンタ値を初期化する段階と、
ヌル(null)シンボルのスロット区間で前記ＴＩＩを検出する段階と、
ＴＩＩ更新時点まで前記検出されたＴＩＩをＴＩＩデータベースに格納する段階と、
前記ＴＩＩ更新時点である場合を除いて前記検出反復カウンタ値を増加させ、前記検出反復カウンタが予め定められたターゲット値であるか否かを判定する段階と、
前記ＴＩＩ更新時点でＴＩＩ検出結果を出力する段階と、を有し、
前記ＴＩＩ更新時点を含む情報は予め定められたフィールドを通じて伝送されることを特徴とする方法。
【請求項５】
前記ＴＩＩ更新時点でモードを決定する段階をさらに有することを特徴とする請求項４記載の方法。
【請求項６】
前記モードは、
前記初期化段階に戻る再スタートモード、又は前記出力段階に跳び越す中間結果活用モードで構成されることを特徴とする請求項５記載の方法。
【請求項７】
前記予め定められたフィールドは、高速情報グループ(ＦＩＧ)“Type  0  field  for  extension  8”であることを特徴とする請求項４記載の方法。
【請求項８】
前記検出結果は検出されたＴＩＩ値として出力されることを特徴とする請求項４記載の方法。
【請求項９】
前記検出結果は、最も多く検出されたＴＩＩ値と、そのときに検出されたＴＩＩの累積値又は平均値と共に出力されることを特徴とする請求項４記載の方法。
【請求項１０】
地上波デジタルマルチメディア放送(Ｔ-ＤＭＢ)システムにおける伝送識別情報(ＴＩＩ)を判定する送信システムであって、
共通インターリーブフレーム(ＣＩＦ)カウンタ値を格納するキーセンターと、
前記ＴＩＩが更新される場合に、予め定められたフィールドに前記キーセンターから提供されたＣＩＦカウンタ更新情報を含む高速情報チャンネル(ＦＩＣ)と、
放送データを含むメインサービスチャンネル(ＭＳＣ)と、
前記ＦＩＣと前記ＭＳＣを多重化してフレームを発生するストリーム発生器と、
前記多重化されたフレームを送信する送信器と、
を含むことを特徴とするシステム。
【請求項１１】
前記キーセンターは、前記ストリーム発生器から前記ＣＩＦカウンタ値を受信することを特徴とする請求項１０記載のシステム。
【請求項１２】
地上波デジタルマルチメディア放送(Ｔ-ＤＭＢ)システムにおける伝送識別情報(ＴＩＩ)を判定する受信器であって、
無線周波数(ＲＦ)部と、
前記ＲＦ部から提供される放送データで同期チャンネル(ＳＣ）を復号する放送データ(ＢＤ)部と、
前記ＢＤ部から提供されるヌルシンボル及び共通インターリーブフレーム(ＣＩＦ)カウンタを用いて前記ＴＩＩを検出する検出器と、
前記ＢＤ部から提供される放送データで高速情報チャンネル(ＦＩＣ）を復号するＦＩＣデコーダと、
前記ＴＩＩと前記ＦＩＣデコーダから提供された資格管理メッセージ(ＥＣＭ)を用いてネットワークを識別するネットワーク識別システム(ＮＩＳ）デコーダと、
前記ＢＤ部から提供された放送データと前記ＮＩＳデコーダから提供されたネットワーク識別情報(ＮＩＩ)をデスクランブリングするデスクランブラーと、
前記デスクランブラーから提供された放送データのメインサービスチャンネル(ＭＳＣ）を復号する放送データデコーダと、を含み、
前記検出器は、前記ＦＩＣデコーダからＣＩＦカウンタ更新情報を受信することを特徴とする受信器。
【発明の詳細な説明】
【技術分野】
【０００１】
本発明は地上波デジタルマルチメディア放送システムで伝送識別情報判定方法及び装置に関して、特に地上波デジタルマルチメディア放送(Terrestrial  Digital  Multimedia  Broadcasting：以下、“Ｔ-ＤＭＢ”とする)サービスにおいて送信器が伝送識別情報(Transmitter  Identification  Information：以下、“ＴＩＩ”とする)を変更して情報を伝送しようとするときに、ＴＩＩに対する検出性能を向上させる方法及び装置に関するものである。
【背景技術】
【０００２】
最近、Ｔ-ＤＭＢサービス事業が施行されることによって付随的に解決すべき技術的問題が発生している。その中で、特に放送ネットワークと中継ネットワークの区別に関連して、事業者は、ＴＩＩ信号受信に対する品質が保証される場合に良質のサービスを施行することができる。すなわち、同期チャンネルに位置したＴＩＩは、次の機能を遂行する信号としてＴ-ＤＭＢの核心構成要素である。ＴＩＩは、Ｔ-ＤＭＢで元の同期チャンネル(Synchronization  Channel)を通じて伝送され、ＳＦＮ(Single  Frequency  Network)でそれぞれの送信器を区別する。
【０００３】
したがって、Ｔ-ＤＭＢネットワーク識別システムで伝送識別のために使用されるＴＩＩ信号は、放送ネットワークと中継ネットワークとの間を区別することに使用される。
【０００４】
ＴＩＩは、放送ネットワークと中継ネットワークに分けられる。すなわち、放送ネットワークカバーレージから外れた陰影地域には中継ネットワークを設置することによって、放送ネットワークと中継ネットワークを区別するために、ＴＩＩ信号の動的変化が要求される。上記したように、動作するＴＩＩ信号は、送信時に元に動的変化を目的で設計されたものではないため、優れた受信品質を有するようにチャンネル符号化のような保護プロセスを経ることなく送信される。
【０００５】
したがって、一般的な無線環境の受信品質が悪い多重チャンネル環境でデータ信号に一部の誤りが発生しても、送信器がチャンネル符号化過程を経たため、受信器がこのデータ信号を復旧することができる。
【０００６】
しかしながら、これをデスクランブリングするために必要なＴＩＩの信号に対して送信器で何らの処理がないため、受信器はこの信号を正しく復旧することができないという問題があった。この問題は、受信器の全体的な受信性能を低下させる。
【０００７】
したがって、Ｔ-ＤＭＢシステムで送信識別情報を効率的に判定するシステム及び方法を必要とする。
【発明の開示】
【発明が解決しようとする課題】
【０００８】
したがって、上記した従来技術の問題点を解決するために、本発明の目的は、地上波デジタルマルチメディア放送(Ｔ-ＤＭＢ)システムで誤り検出及び誤り訂正に対して符号化されていないＴＩＩ信号検出能力を増加するための方法及び装置を提供することにある。
【課題を解決するための手段】
【０００９】
上記のような課題を達成するために、本発明は、地上波デジタルマルチメディア放送(Ｔ-ＤＭＢ)システムにおける伝送識別情報(Transmitter Identification Information:ＴＩＩ)の判定方法であって、ヌル(null)シンボルのスロット区間で前記ＴＩＩ発生を検出する段階と、ＴＩＩ更新時点まで前記検出されたＴＩＩをＴＩＩデータベースに格納する段階と、前記ＴＩＩ更新時点でＴＩＩ検出結果を出力する段階とを有する。
【００１０】
また、本発明は、地上波デジタルマルチメディア放送システム(Ｔ-ＤＭＢ)における伝送識別情報(ＴＩＩ)の判定方法であって、検出反復カウンタ値を初期化する段階と、ヌル(null)シンボルのスロット区間で前記ＴＩＩを検出する段階と、ＴＩＩ更新時点まで前記検出されたＴＩＩをＴＩＩデータベースに格納する段階と、前記ＴＩＩ更新時点である場合を除いて前記検出反復カウンタ値を増加させ、前記検出反復カウンタが予め定められたターゲット値であるか否かを判定する段階と、前記ＴＩＩ更新時点でＴＩＩ検出結果を出力する段階とを有する。
【００１１】
さらに、本発明は、地上波デジタルマルチメディア放送(Ｔ-ＤＭＢ)システムにおける伝送識別情報(ＴＩＩ)を判定する送信システムであって、共通インターリーブフレーム(ＣＩＦ)カウンタ値を格納するキーセンターと、前記ＴＩＩが更新される場合に、予め定められたフィールドに前記キーセンターから提供されたＣＩＦカウンタ更新情報を含む高速情報チャンネル(ＦＩＣ)と、放送データを含むメインサービスチャンネル(ＭＳＣ)と、前記ＦＩＣと前記ＭＳＣを多重化してフレームを発生するストリーム発生器と、前記多重化されたフレームを送信する送信器とを含む。
【００１２】
本発明は、地上波デジタルマルチメディア放送(Ｔ-ＤＭＢ)システムにおける伝送識別情報(ＴＩＩ)を判定する受信器であって、無線周波数(ＲＦ)部と、前記ＲＦ部から提供される放送データで同期チャンネル(ＳＣ）を復号する放送データ(ＢＤ)部と、前記ＢＤ部から提供されるヌルシンボル及び共通インターリーブフレーム(ＣＩＦ)カウンタを用いて前記ＴＩＩを検出する検出器と、前記ＢＤ部から提供される放送データで高速情報チャンネル(ＦＩＣ）を復号するＦＩＣデコーダと、前記ＴＩＩと前記ＦＩＣデコーダから提供された資格管理メッセージ(ＥＣＭ)を用いてネットワークを識別するネットワーク識別システム(ＮＩＳ）デコーダと、前記ＢＤ部から提供された放送データと前記ＮＩＳデコーダから提供されたネットワーク識別情報(ＮＩＩ)をデスクランブリングするデスクランブラーと、前記デスクランブラーから提供された放送データのメインサービスチャンネル(ＭＳＣ）を復号する放送データデコーダとを含む。
【発明の効果】
【００１３】
本発明は、受信器にＴＩＩ更新時点を知らせてＴＩＩ値が変化する前までは以前値が維持されるため、ＴＩＩ検出器で同じ値を累積し、或いは検出値の統計を用いて検出確率を高めることができる効果がある。
【００１４】
また、本発明は、受信器でＴＩＩが検出された場合に、ＴＩＩ検出器をこれ以上動作する必要がないため、ハードウェアの性能を最適化することができる効果もある。
【発明を実施するための最良の形態】
【００１５】
以下、本発明の望ましい実施形態を添付の図面を参照して詳細に説明する。
【００１６】
下記に、本発明に関連した公知の機能又は構成に関する具体的な説明が本発明の要旨を不明にすると判断された場合に、その詳細な説明を省略する。
【００１７】
本発明は、ＴＩＩ信号検出能力を増大させるために受信器でＴＩＩの更新時点を知らせる方法に関するものである。本発明の実施形態は、キーセンターからＴＩＩを更新する時点を提示して特定時点ごとに周期的に更新することができ、任意の時点で更新し、その時点に該当するＣＩＦカウンタ値を高速情報チャンネル(Fast Information Channel：以下、“ＦＩＣ”とする)構成に追加することができる。すなわち、送信システムからＴＩＩ更新時点を受信器で知らせる方法は、下記の本発明の実施形態として実現することが望ましい。
【００１８】
第１の実施形態は、ＴＩＩ更新時点を固定する方式で構成される。ＣＩＦカウンタは基準時点で使用することができる。ＣＩＦカウンタは、１３ビット(上位５ビット＋下位８ビット）で構成されたＤＡＢ(Digital  Audio  Broadcasting)論理フレームのカウンタ値として各ＣＩＦに割り当てられる(ここで、韓国で使用されるＴ-ＤＭＢ放送モード１である場合に、１フレームは４個のＣＩＦで構成され、ＣＩＦは２４ms単位で最大６４個のサブチャンネルで構成される)。ＣＩＦカウンタ値は０〜５００(特に、上位ビット０〜１９、下位ビット０〜２４９)の間で変化する。ＴＩＩが周期的に更新されると、受信器は、ＣＩＦカウンタをモニタリングすることによってＴＩＩ更新時点の通知を受信する。
【００１９】
また、ＴＩＩが更新時点で更新されないこともあるが、ＴＩＩがその期間に変更されないため、同じ信号の反復を用いて受信性能の向上されることが可能である。
【００２０】
第２の実施形態は、ＴＴＩが更新される時点で受信器でＣＩＦカウンタ値を知らせる方式で構成される。スクランブリングはサブチャンネル単位で構成され、ＴＩＩ更新時点の通知はそのサブチャンネルが属するＣＩＦカウンタ値を用いて提供することができる。このＣＩＦカウンタ値は、ＥＴＳＩ(European Telecommunications Standards Institute)２００１及びＥＢＵ(European Broadcasting Union)２００１によって公告されたヨーロッパ規格のＥＴＳＩ  ＥＮ  ３００  ４０１  Ｖ１.３.３(２００１-０５)“Radio Broadcasting Systems；Digital Audio Broadcasting(DAB)  to  Mobile, Portable and Fixed Receivers”に開示された高速情報チャンネルの一つの予約領域を用いて知らせることができる。ここで、使用可能なデータフォーマットは、図３に示す“Type  0  field  for  extension  8”の予約領域を例として説明する。
【００２１】
第２の実施形態は、第１の実施形態と同様に受信性能を向上させることができる。同一のデータが更新メッセージが到達する前まで、常に伝送が可能である。したがって、第２の実施形態は、信号の反復を通じて誤りを訂正する一種のチャンネル符号化で使用することができる。
【００２２】
図１は、一般的なＴ-ＤＭＢ送信システムのブロック構成図である。
【００２３】
図１を参照すると、一般的なＴ-ＤＭＢ送信システムは、キーセンター(Key  Center)１００と、放送データのＭＰＥＧ２-ＴＳ(MPEG2-Transport  Stream)エンコーダ１１０と、スクランブラー１２０と、共通インターリーブフレーム(Common  Interleaved  Frame:ＣＩＦ)１３０と、メインサービスチャンネル(Main  Service  Channel:ＭＳＣ)１４０と、高速情報チャンネル(Fast  Information  Channel：ＦＩＣ)１５０と、ＥＴＩ(Ensenble Transport Interface)ストリーム発生器１８０と、送信器１９０とを含む。
【００２４】
ＭＰＥＧ２-ＴＳエンコーダ１１０によって符号化される放送データは、キーセンター１００で生成された制御語(Control  Word：以下、“ＣＷ”とする)１６０によってスクランブリングされる。ＭＳＣ１４０は、ＣＩＦ１３０から提供されるスクランブリングされたデータで構成される。また、ＦＩＣ１５０は、キーセンター１００から提供される資格管理メッセージ(Entitlement  Checking  Messages：以下、“ＥＣＭ”とする)を含む。ＭＳＣ及びＦＩＣは、ストリーム発生器１８０によって送信フレームに多重化される。送信フレームは、送信器１９０を通じて受信器に伝送される。すなわち、ＣＷは、ＥＣＭとして暗号化されて受信器に伝送される。
【００２５】
図２は、本発明の実施形態によるＴ-ＤＭＢ伝送フレームの構成を示す。
【００２６】
図２を参照すると、Ｔ-ＤＭＢ伝送フレームは、同期チャンネル(Synchronization Channel)部２００，２１０と、高速情報チャンネル(Fast  Information  Channel)部２３０と、メインサービスチャンネル(Main  Service  Channel：ＭＳＣ)部２４０とを含む。また、同期チャンネル部２００，２１０は、ＴＩＩ又はヌル(null)シンボル２００のスロット、ＰＲＳ(Phase  Reference  Symbol)２１０のスロットを含む。高速情報チャンネル部２３０は、複数の高速情報グループ(Fast  Information  Group：以下、“ＦＩＧ”とする)で構成された複数の高速情報ブロック(ＦＩＢ）を含む。ＭＳＣ部２４０は、複数のＣＩＦを含む。
【００２７】
ここで、ＴＩＩは、一つの伝送フレームで伝送されると、他の伝送フレームでは伝送されない。伝送時間は、ＤＡＢ(Digital  Audio  Broadcasting)方式のような伝送モードにより決定される。
【００２８】
図３は、本発明の実施形態により、ＦＩＧ“Type  0  field  for  extension  8”にＣＩＦカウンタ値が位置できるデータフォーマットを示す。
【００２９】
図３を参照すると、ＦＩＧ“Type  0  field  for  extension  8”は、ＥＴＳＩ  ＥＮ  ３００  ４０１  Ｖ１.３.３(２００１-０５)標準化によって定義されたデータフォーマットである。ＦＩＧ“Type  0  field  for  extension  8”は、複数のサービスコンポーネントグローバル定義(Service  Component  Global  Definition)３００，３１０，３３０を含む。各サービスコンポーネントグローバル定義３００，３１０，３３０は、Ｓｉｄ３４０と、Ｅｘｔ.フラグ(flag)３４５と、Ｅｘｔ.フラグ３４５と、Ｒｆａ３５０，３７５と、ＳＣＩｄｓ３５５と、Ｌ/Ｓフラグ３６０，３８０とを含む。
【００３０】
また、ＦＩＧ“Type  0  field  for  extension  8”は短形(Short  Form)の場合に１ビットのＭＳＣ/ＦＩＣフラグ３６５及び６ビットのＳｕｂＣｈｌｄ/ＦＩＤＣＩＤ３７０を含む。ＦＩＧ“Type  0  field  for  extension  8”は、長形(Long  Form)の場合に３ビットのＲｆａ３８５及び１２ビットのＳＣｌｄ３９０をさらに含む。ここで、ＣＩＦカウンタ値は、サービスコンポーネントグローバル定義３００，３１０，３３０内のＲｆａ３５０，３７５に位置することができる。
【００３１】
図４は、本発明の望ましい実施形態によるＴ-ＤＭＢ送信システムのブロック構成図である。
【００３２】
図４を参照すると、本発明の実施形態による送信システムのデータ流れを、図１に示したような一般的な送信システムのデータ流れにデータ経路を追加している。すなわち、本発明の実施形態による構成は、ストリーム発生器１８０からキーセンター１００にＣＩＦカウンタを知らせるための経路４１０が追加される構成は第１の実施形態に該当する。本発明の実施形態による他の構成は、キーセンター１００からＦＩＣ１５０にＣＩＦカウンタ更新情報４２０を知らせるメッセージの経路４００が追加される構成は第２の実施形態に該当する。
【００３３】
また、本発明の実施形態による具体的なデータの流れは、追加された構成のようなデータ流れを図１の一般的な送信システムのデータ流れに追加することによって示すことができる。
【００３４】
一方、キーセンター１００及び図４の他の機能ブロックは、制御器のような適合した機能ブロックに代替することができる。
【００３５】
図５は、本発明の望ましい実施形態によるＴ-ＤＭＢ受信器のブロック構成図である。
【００３６】
図５を参照すると、受信器は、ＲＦ(Radio Frequency)部５１０と、放送データ(ＢＤ)部５２０と、ＦＩＣデコーダ５３０と、ＮＩＳデコーダ５４０と、デスクランブラー５４５と、ＤＭＢデコーダ５５０と、ＴＩＩ検出器５６０とを含む。
【００３７】
ここで、ＲＦ部５１０はＴ-ＤＭＢ無線周波数を受信し、ＢＤ部５２０は、ＲＦ部５１０から提供された放送データを受信して同期チャンネルを復号化する。また、ＴＩＩ検出器５６０は、ＢＤ部５２０から提供されたＣＩＦカウンタ５７０とヌルシンボル５６５と、ＲＦ部５１０から提供されたＴＩＩを用いてＴＩＩを検出する。
【００３８】
ＦＩＣデコーダ５３０は、ＢＤ部５２０から放送データを受信してＦＩＣを復号し、ネットワーク識別システム(Network  Identification  System：以下、“ＮＩＳ”とする)デコーダ５４０は、ＦＩＣデコーダ５３０から提供されたＥＣＭ(Entitlement checking  messages)５８５とＴＩＩとを用いてネットワークを識別する。
【００３９】
デスクランブラー５４５は、ＢＤ部５２０から提供された放送データとＮＩＳデコーダ５４０から提供されたネットワーク識別情報(ＮＩＩ)をデスクランブリングする。また、放送データデコーダ５５０は、デスクランブラー５４５から提供された放送データのＭＳＣを復号して視聴可能なメディアで実行させる。ここで、ＴＩＩ検出器５６０は、ＦＩＣデコーダ５３０からＣＩＦカウンタ更新情報が提供されることが望ましい。
【００４０】
すなわち、本発明の実施形態による構成は、Ｔ-ＤＭＢ受信器の内部にＢＤ部５２０からＣＩＦカウンタを入力するためのデータ経路５７０を追加し、第１の実施形態に該当する。また、本発明の実施形態による構成は、ＦＩＣデコーダ５３０からＴＩＩ検出器５６０にＣＩＦカウンタ更新情報を知らせる経路５８０を追加し、第２の実施形態に該当する。
【００４１】
一方、図５で上述したすべてのブロックは制御器のような機能ブロックを用いて実現することができる。
【００４２】
図６は、本発明の第１の実施形態によるＴ-ＤＭＢ受信器のＴＩＩ検出方法を示すフローチャートである。
【００４３】
図６を参照すると、受信器は、ステップＳ６１０で、同期区間のヌルシンボルを用いてフレームを同期化し、ヌルシンボルのスロットでＴＩＩが発生するか否かを判定する。ステップＳ６２０で、受信器は、ステップＳ６２０で、ヌルシンボルと共に受信されるＴＩＩ信号を検出して復調する。
【００４４】
ステップＳ６３０及びＳ６４０で、復調されたＴＩＩは、“ＣＩＦカウンタ−１”の値が検出されるまでＴＩＩ検出結果としてＴＩＩデータベース(ＤＢ)に継続して格納する。
【００４５】
ステップＳ６５０で、受信器は、ＣＩＦカウンタ値が予め定められたターゲット値“ＣＩＦカウンタ−１”であるか否かを判定する。受信器は、ステップＳ６６０で、“ＣＩＦカウンタ−１”に到達した場合にＴＴＩ検出結果を出力する。このとき、検出結果は、ＴＩＩ検出結果報告ポリシーにより、検出されたＴＩＩ値のみを出力し、或いは最も多く検出されたＴＩＩ値とそのときに検出されたＴＩＩ累積値又は平均値を共に出力することができる。
【００４６】
ステップＳ６７０で、受信器は、ＴＩＩ検出終了によりＴＩＩ検出流れの終了を決定する。
【００４７】
ここで、ターゲットＣＩＦカウンタの通知を提供するための方法は、第１の実施形態と第２の実施形態が異なる。第１の実施形態は、ＴＩＩ更新時点を特定のＣＩＦカウンタ値に固定させる場合に、送信システムと受信器が既に知っているＣＩＦカウンタ値がターゲットＣＩＦカウンタとなる。
【００４８】
また、第２の実施形態は、ＦＩＧを通じてＴＩＩの更新時点の通知を提供し、送信システムはＦＩＧ“Type  0  field  for  extension  8”を通じてＴＩＩ更新時点を受信器に知らせる。したがって、受信器は、ＦＩＧ復号化後にターゲットＣＩＦカウンタ値を知るようになる。上述したように、ターゲットＣＩＦカウンタ値をＴＩＩ検出器に知らせる論理が、第２の実施形態に追加される。この場合に、受信器の動作について、次の図７を参照して詳細に説明する。
【００４９】
図７は、本発明の第２の実施形態によるＴ-ＤＭＢ受信器のＴＩＩ検出方法を示すフローチャートである。
【００５０】
図７を参照すると、受信器は、ステップＳ７１０で、検出反復カウンタ値を初期化する。ステップＳ７１５で、受信器は、ＴＩＩがヌルシンボル区間で発生するか否かを判定する。ステップＳ７２０で、受信器は、ＴＩＩがヌルシンボル区間で発生した場合にＴＩＩ信号を検出して復調し、ＴＩＩがヌルシンボル区間で発生しない場合にこのステップを反復する。
【００５１】
ステップＳ７２５，Ｓ７３０で、受信器は、ＴＩＩ更新情報が更新される直前まで検出されたＴＩＩをＴＩＩデータベース(ＤＢ)に継続して格納する。
【００５２】
ステップＳ７３５で、受信器は、ＴＩＩが存在するか否か、そしてＴＩＩ更新情報が更新される準備ができているか否かを判定する。ステップＳ７４０で、ＴＩＩが存在し、ＴＩＩ更新情報が更新される直前である場合に、受信器は動作モードを判定する。その結果、動作モードが再スタートモードである場合に、受信器はステップＳ７１０に戻る。一方、動作モードが中間結果活用モードである場合に、ステップＳ７５５に進行する。
【００５３】
ステップＳ７４５で、受信器は、ＴＩＩ更新時点である場合を除いて検出反復カウンタを増加させる。
【００５４】
ステップＳ７５０で、受信器は、検出反復カウンタ値が反復回数であるか否かを判定する。その結果、検出反復カウンタが反復回数である場合に、受信器は、ステップＳ７５５で、ＴＩＩ検出結果を出力する。一方、検出反復カウンタが反復回数でない場合に、受信器はステップＳ７１５に戻る。
【００５５】
ステップＳ７６０で、受信器は、ＴＩＩ検出終了によりＴＩＩ検出流れが終了したか否かを判定する。その結果、ＴＩＩ検出が終了しない場合に、受信器は、ステップＳ７１０に戻る。
【００５６】
以上、本発明の詳細な説明においては具体的な実施形態に関して説明したが、特許請求の範囲を外れない限り、形式や細部についての様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図面の簡単な説明】
【００５７】
【図１】一般的なＴ-ＤＭＢ送信システムを示すブロック構成図である。
【図２】本発明の望ましい実施形態によるＴ-ＤＭＢ伝送フレームの構成を示す図である。
【図３】本発明の望ましい実施形態により、ＦＩＧ“Type  0  field  for  extension  8”にＣＩＦカウンタ値が位置できるデータフォーマットを示す図である。
【図４】本発明の望ましい実施形態によるＴ-ＤＭＢ送信システムを示すブロック構成図である。
【図５】本発明の望ましい実施形態によるＴ-ＤＭＢ受信器を示すブロック構成図
【図６】本発明の第１の実施形態によるＴ-ＤＭＢ受信器のＴＩＩ検出方法を示すフローチャートである。
【図７】本発明の第２の実施形態によるＴ-ＤＭＢ受信器のＴＩＩ検出方法を示すフローチャートである。
【符号の説明】
【００５８】
１００  キーセンター
１１０  ＭＰＥＧ２-ＴＳエンコーダ
１２０  スクランブラー
１３０  ＣＩＦ
１４０  ＭＳＣ
１５０  ＦＩＣ
１６０  ＴＩＩによって暗号化されたＣＷ
１７０  ＥＣＭ
１８０  ＥＴＩストリーム発生器
１９０  送信器
４１０  ＣＩＦカウンタ
４２０  ＴＩＩ更新時にＣＩＦカウンタ値
５１０  ＲＦ部
５２０  ＢＤ部
５３０  ＦＩＣデコーダ
５４０  ＮＩＳデコーダ
５４５  デスクランブラー
５５０  ＤＭＢデコーダ
５６０  ＴＩＩ検出器
５６５  ヌル
５７０  ＣＩＦカウンタ
５８０  ＣＩＦカウンタ更新情報
５８５  ＥＣＭ
【図１】
2008536376.tif 000003
【図２】
2008536376.tif 000004
【図３】
2008536376.tif 000005
【図４】
2008536376.tif 000006
【図５】
2008536376.tif 000007
【図６】
2008536376.tif 000008
【図７】
2008536376.tif 000009
【国際調査報告】
2008536376.tif 000010